(57)【特許請求の範囲】
【請求項１】
マイクロ波領域における電磁放射線源（２３）と減衰および移相要素で構成されるマイクロ波ブリッジを備え、前記電磁放射線源（２３）の出力はサーキュレータまたはマジックＴ（２４）の一つのアームに接続され、サーキュレータまたはマジックＴ（２４）のもう一つのアームは、アイリス結合を介して共鳴器（２５）に結合され、第三のアームは公知のマイクロ波検出器（２７）に接続され、マイクロ波検出器（２７）の出力は、位相検波器（２８）の一方の入力に接続され、位相検波器（２８）の第二の入力には公知の変調器（２６）の一方の出力が接続され、変調器（２６）の第二の出力は、共鳴器（２５）に連関された変調コイル（３２）に接続され、位相検波器（２８）の出力は、アナログ−ディジタル変換器（２９）に接続され、アナログ−ディジタル変換器（２９）の出力は、コンピュータ（３０）に接続され、共鳴器（２５）は、磁石（３１）のＮ極とＳ極間の磁界内に配置されており、マイクロ波ブリッジトランスレーションモジュール（３３）を有する傾斜磁場コイル、傾斜増幅器、および冷却システムを不要とする電子常磁性共鳴撮像装置において、
前記マイクロ波ブリッジトランスレーションモジュールは、前記共鳴器（２５）が磁界の中心を外れた最適な位置に配置されるときのブリッジ（２３）、サーキュレータ（２４）、サンプルを備えた共鳴器（２５）および検出器（２７）の変位を調整することができ、前記サンプルは前記共鳴器に対する角度が調整されるようにコンピュータ制御されたゴニオメータに連結され、連続波およびパルスのいずれのモードにおいての撮像が可能であることを特徴とする電子常磁性共鳴撮像装置。
【請求項２】
使用される電磁放射線源は、クライストロン、ガンダイオード発振器、インパットダイオード（IMPATT）であることを特徴とする請求項１に記載の装置。
【請求項３】
前記マイクロ波検出器は、ダイオード検波器である請求項１に記載の装置。
【請求項４】
使用される共鳴器は、螺旋状遅波構造共鳴器、誘電体共振器、円筒共鳴器、矩形共鳴器、スロット式共鳴器で成る群より選択される請求項１に記載の装置。
【請求項５】
前記磁界変換器の変調幅は、２００−４００マイクロテスラである請求項１に記載の装置。
【請求項６】
電子常磁性共鳴撮像装置は、傾斜磁場コイルなしで構成される請求項１に記載の装置。
【請求項７】
電子常磁性共鳴撮像装置は、傾斜増幅器なしで構成される請求項１に記載の装置。
【請求項８】
電子常磁性共鳴撮像装置は、傾斜磁場コイルに連関された冷却システムなしに構成される請求項１に記載の装置。
【発明の詳細な説明】
【０００１】
【発明の属する技術分野】
この発明は、電子常磁性共鳴撮像装置に関するもので、特に一次元、二次元及び三次元電子常磁性共振（ＥＰＲ）撮像に用いる電子常磁性共鳴撮像装置に関するものである。この種の装置の用途としては、皮革工業における皮革中のクロムの存在及び分布の検出がある。また、この種の装置は、製薬工業、薬品工業及び化粧品工業においても使用される。医学的な目的で代謝物質中の窒素ラジカルを含むラジカルの存在及び分布を検出するために使用可能であると予想される。さらに、この種の装置は、鉱物学的な用途や食品工業においても使用可能である。
【０００２】
【従来の技術】
電子スピン共鳴（ＥＳＲ）とも呼ばれる電子常磁性共鳴（ＥＰＲ）は、フリーラジカル、ある種の遷移金属複合物又は錯塩、ある種の希土類金属複合物又は錯塩、三重項分子等をこうした種（スピン）の不対電子の存在によって検出するための無線周波数（ｒｆ）／マイクロ波分光技術である。測定は、空間的に均等な磁界中に配置された適当な共鳴器（例えば、キャビティ、徐波構造等）に（通常、液状又は固体）の対象サンプルを配置して、外部フィールドにおける電子スピンの特徴的回転周波数に一致する周波数を持つ電磁（ｅｍ）放射線を照射することによって行う。共鳴周波数は、以下の式で与えられる。
【０００３】
【数１】
0004343418.tif 000002
【０００４】
ここで、ｇはスペクトル分岐因子（ランデのg因子または単にg因子）、βはボーア磁子、Ｂ0は磁界の強度、ｈ（アッパーバー）は２πで除したプランク定数である。共鳴周波数の「一次」式は、通常、他の不対電子及び／または核スピンからの内部（又は局部）磁界を含む他の関与条件を付加することによって変形される。こうした状態における電磁放射線の共鳴吸音（又は放出）は、通常、外部磁界の強度を共鳴条件を越えて変化させ、連続波（ｃｗ）モードにおける電磁放射定数の周波数を保持することによって習慣的に記録される。フィールドスキャン中におけるＤＣ（直流）ドリフトを最小化し、信号対雑音比（Ｓ／Ｎ）比を改善するために、共鳴器／キャビティに取り付けられた変調コイルの組を用いた一般的に１００Ｈｚから１００ｋＨｚへのフィールド変調(field modulation)を用いるとともに、電磁検波器（例えば、ダイオード検波器）の出力の位相検波（ＰＳＤ）を行うことを採用するのが一般的である。通常、ＥＰＲ計測は、電子構造、形状及び分子種の動特性に関する詳細情報を得るために採用され、サンプルや磁界は、出来うる限り均質にする必要がある。磁界は、通常、永久磁石、超伝導電磁石またはより頻繁には抵抗式電磁石によって発生させる。磁石によって発生される磁界の強度は、０．０１テスラ（Ｔ）程度の非常に小さい磁界や３．４テスラ（Ｔ）程度の非常に大きな磁界を用いるが、通常１．５テスラ（Ｔ）以下である。これに相応して、共鳴器内に配置されたサンプルには、マイクロ波ブリッジからのマイクロ波や高周波が照射される。
【０００５】
パルスモードの動作において、連続波（ｃｗ）マイクロ波ブリッジは、パルス化されたマイクロ波ブリッジで置換され、マイクロ波は、進行波管（ＴＷＴ）増幅器によって増幅され、パルス出力モードにおいて、通常１キロワットの電力を発生する。こうして発生されたマイクロ波パルスは、共鳴器に送られる。低性質計数Ｑを持つ共鳴器は、パルスモードの用途に使用され、システムの信号時間（不動作時間）を減少させて、測定結果のＥＳＲ信号のほぼ「０時間」の検出を可能とする。
【０００６】
同一の基本的実験装置が、全く異なるモードにおいて使用され、不均質な対象物におけるマクロ的な分子配分を検出する。こうした配分機能は、対象物の「像」を与える。こうした測定における一次的な重要事項は、分子構造ではなくマクロ的な分子配分である。対象物を空間的に変化する、すなわち傾斜を持つ磁界中の適当な共鳴器内に配置し、このタイプの情報にアクセスする。こうした状態における共振周波数は、以下の式によって表される。
【０００７】
【数２】
0004343418.tif 000003
【０００８】
ここで、Ｇは、傾斜ベクトル(gradient vector）であり、サンプル中のｒは位置ベクトルを示している。
【０００９】
ＥＰＲ像の解像度は、傾斜磁界の強度、対象種の基本ＥＰＲ共鳴の固有幅（「線幅(linewidth)」）、サンプルのボリュームエレメント当たりの信号対雑音比、分子拡散過程等のパラメータの数によって決定される。一般に、ＥＰＲ線幅は、数ガウス  （１ガウス  ≡  １０-4テスラ）程度、若しくは周波数単位で数メガヘルツ程度である。最初の二つのパラメータに基づいて予測される解像度Ｒは、以下の式より得られる。
【００１０】
【数３】
0004343418.tif 000004
【００１１】
ここで、Δｖ1/2は線幅を示し、Ｇは傾斜振幅(gradient amplitude)である。
【００１２】
主磁界中に配置する付加的な非ヘルムホルツ(anti-Helmholts)またはアンダーソンコイルの組によって傾斜を生じさせることが一般的である。電流が水冷式または強制空冷式コイルに流されると、１Ｔｍ-1（１００Ｇｃｍ-1）程度までの相当の大きさの傾斜が生じる。空間内の三つの直交方向のそれぞれに対して各一組のコイルを用いるのが一般的である。ＥＰＲ線幅の反転は、傾斜切り替え時間に比べて短いので、傾斜の存在下で信号を得ることが一般的であり、傾斜に対してサンプルの向きを再設定して（たとえば、傾斜を回転させ、二組の傾斜磁場コイルの電流の振幅を調整する等）、二次元像を得る。この結果得られた一連の「投影像」を再構成する事によって、所望の像が得られる。
【００１３】
マレシュ等（Maresch et al)によって報告されているように（Physica B、１３８、２６１、１９８６年）、特別な状況において、傾斜を律動的に動して、ＥＰＲ像を核磁気共鳴（ＮＭＲ）フーリエ撮像によって得ることが出来る。これは、傾斜パルスの短い立ち上がり、立ち下がり時間を許容する特別で、通常小さく、低インダクタンスの傾斜磁場コイル装置を必要とし、実験は、傾斜の無い状態で、単独で急峻な共鳴が立ち上がるＥＳＲサンプル（線幅が一般的な範囲である１乃至１０ＭＨｚではなく約２０乃至５０ｋＨｚである）によって行われる。
【００１４】
【発明が解決しようとする課題】
本発明の主な目的は、特別な、要求、制限および上記の欠点を未然に防止することが出来る電子常磁性共鳴撮像装置を提供しようとするものである。
【００１５】
本発明のもう一つの目的は、自然に生じる磁界の傾斜を用いるＥＰＲ撮像装置を提供することにある。
【００１６】
本発明のさらにもう一つの目的は、最低５Ｔ／ｍの振幅の磁界傾斜を使用するための装置を提供することにある。
【００１７】
本発明のさらにもう一つの目的は、ＥＰＲ像の生成のための傾斜磁場コイル、傾斜増幅器やこれらに関連する冷却システムを不要とする装置を提供することにある。
【００１８】
本発明のもう一つの目的は、１乃至１０ＭＨｚの範囲の大きな線幅を有する窒素ラジカル等のＥＰＲサンプルを撮像する装置を提供することにある。
【００１９】
本発明のさらにもう一つの目的は、傾斜磁場コイルおよび増幅器の使用を不要としながらマイクロ波ブリッジ中継モジュールを付加して既存の連続波／パルスＥＰＲ分光計／撮像システム上において撮像を行う装置を提供することにある。
【００２０】
さらにまた、本発明によれば、パルスモードの動作と同様に連続波モードにおけるＥＳＲ像を得ることが出来る装置を提供することである。
【００２１】
【課題を解決するための手段】
本発明の特徴は、マイクロ波ブリッジ中継モジュールを設けたことであり、これによって、サンプルを配置した共鳴器は、傾斜を発生するために付加的なハードウエアと制御システムを必要とする磁界の中心に配置することを要していた従来の装置とは異なり、撮像の用途のための公知のハードウエアおよび制御システムを使用することなく磁界の強度および自然に生じる傾斜を最適に用いることを確実とする磁界内の最適位置に配置される。
【００２２】
本発明の第一の構成によれば、マイクロ波領域における電磁放射線源と減衰および移相要素で構成されるマイクロ波ブリッジを備え、前記電磁放射線源の出力はサーキュレータまたはマジックＴの一つのアームに接続され、サーキュレータまたはマジックＴのもう一つのアームは、アイリス結合を介して共鳴器に結合され、第三のアームは公知のマイクロ波検出器に接続され、マイクロ波検出器の出力は、位相検波器の一方の入力に接続され、位相検波器の第二の入力には公知の変調器の一方の出力が接続され、変調器の第二の出力は、共鳴器に連関された変調コイルに接続され、位相検波器の出力は、アナログ−ディジタル変換器に接続され、アナログ−ディジタル変換器の出力は、コンピュータに接続され、共鳴器は、磁石のＮ極とＳ極間の磁界内に配置され、マイクロ波ブリッジ中継モジュールはブリッジ、サーキュレータ、共鳴器および検出器を、前記共鳴器が磁界の中心を外れた位置に最適に配置されて連続波およびパルスのいずれのモードにおいての撮像をも可能とするために変位させることを特徴とする電子常磁性共鳴撮像装置が提供される。
【００２３】
なお、使用される電磁放射線源は、クライストロン、ガンダイオード発振器、インパットダイオード（IMPATT)とすることが出来る。また前記マイクロ波検出器は、ダイオード検波器とすることが出来る。さらに、使用される共鳴器は、徐波螺旋構造、誘電体共振器、円筒共鳴器、矩形共鳴器、スロット式共鳴器で成る群より選択することも出来る。前記磁界変換器の変調幅は、２００−４００マイクロテスラとすることが出来る。さらに、サンプルの向きを調整する手段は、手動設定可能なゴニオメータまたはコンピュータ制御ゴニオメータとすることが出来る。また、サンプルの再配向は、磁界に対するサンプルの極角度(polar angle)または方位角を変化させる事によって行うことが出来る。電子常磁性共鳴撮像装置は、傾斜磁場コイルなし、傾斜増幅器なし及び／または傾斜磁場コイルに連関された冷却システムなしに構成することが出来る。
【００２４】
【発明の実施の形態】
以下に、本発明を詳細に説明する。
検査するサンプルは、公知の共鳴器または共振器２５内部に配置されるとともに、ゴニオメータを用いて所定の向きとされている。共鳴器２５は、主磁石３１の中央部には配置されず、磁界の空間変化が５Ｔ／ｍ以上の領域に配置される。マイクロ波ブリッジ／共鳴器装置の二乃至三の直交方向に制御され、再生可能な中継機能(translation)を付加することによって、磁界内の所望の好適位置へのサンプルの配置が可能となる。共鳴器２５は、周波数源に一致するように回転されて、磁界の変調は、検査中のサンプルの線幅よりも振幅が小さくなるように設定される。サンプルのＥＰＲ分光プロフィル(spectral profile)は、公知の磁界掃引法によって記録される。変調周波数を変化させることによって、プロフィルが最適化される。同一の処理を繰り返すことによって、サンプルのそれぞれ異なる位置の少なくとも１２のプロフィルを形成する。これらのプロフィルは、シフト、逆重畳、逆投影を含む公知の方法で投影、再構成されて、所望の二次元または三次元画像が生成される。
【００２５】
従って、本発明は、電子常磁性共鳴撮像装置を提供する。電子常磁性共鳴撮像装置は、マイクロ波領域の電磁放射線源２３、減衰および移相要素で構成されるマイクロ波ブリッジを有し、電磁放射線源２３の出力は、サーキュレータまたはハイブリッド（またはマジック）Ｔ２４の一方のアームに接続され、サーキュレータまたはハイブリッド（またはマジック）Ｔ２４のもう一つのアームは、アイリス結合(iris coupling)を介して共鳴器２５に結合され、第三のアームは公知のマイクロ波検出器２７に接続される。マイクロ波検出器または検波器２７の出力は、位相検波器（ＰＳＤ）２８の一方の入力に接続される。位相検波器２８の第二の入力には公知の変調器２６の一方の出力が接続される。変調器２６の第二の出力は、共鳴器２５に連関された変調コイル３２に接続されている。位相検波器（ＰＳＤ）２８の出力は、アナログ−ディジタル変換器（ＡＤＣ）２９に接続されており、アナログ−ディジタル変換器２９の出力は、コンピュータ３０に接続されている。共鳴器２５は、磁石３１のＮ極とＳ極間の磁界内に配置される。磁界変調幅（マイクロテスラ）は検査対象のサンプルの線幅よりも小さく、マイクロ波ブリッジ中継モジュール３３によって、ブリッジ２３、サーキュレータ２４、共鳴器２５および検出器２７の適当な配置を可能として、共鳴器２５が、磁界の中心を外れた位置に最適に配置され、連続波およびパルスのいずれのモードにおいても撮像が行われるようにしている。
【００２６】
本発明の実施例において、使用される電磁放射線源は、クライストロン、ガンダイオード発振器、インパットダイオード（IMPATT)等である。
【００２７】
本発明の他の実施例において、使用される共鳴器は、徐波螺旋構造(slow wave helical structure)、誘電体共振器、円筒共鳴器、矩形共鳴器、スロット式共鳴器等である。
【００２８】
本発明のもう一つの実施例において、マイクロ波検出器は、ダイオード検波器である。
【００２９】
本発明のさらにもう一つの実施例において、サンプルの向きを調整する手段は、手動設定可能なゴニオメータまたはコンピュータ制御ゴニオメータ等である。
【００３０】
本発明のさらにもう一つの実施例において、サンプルの再配向は、磁界に対するサンプルの極角度(polar angle)または方位角を変化させること等である。
【００３１】
本発明のもう一つの実施例において、像生成のための最小ＥＰＲプロフィル数は、１２とすることが出来る。
【００３２】
以下の実施例は、発明を説明するためのものであり、本発明の範囲を制限するものではない。
【００３３】
実施例１
０．２５ｍｌのＣｒ（Ｖ）ｈｍｂａ（ｈｍｂａ：２−ヒドロキシ−２−メチルブチル酸 (2-hydroxy-2-methylbutyric acid)）溶液を直径２ｍｍの二本の毛細管にとり、直径３ｍｍの空の管を直径２ｍｍの管の間に介挿し、全サンプルは、Bruker EMX 10/2.7EPR分光計の標準矩形ＴＥ102キャビティ型共鳴器内に、磁界の方向ｚと並列に配置し、磁界変調を１００ｋＨｚの周波数に、振幅を２．０Ｇにそれぞれ設定した。共鳴器は、ｚ方向および上下ｙ方向には原点位置を維持しながら原点（磁石の中心）より水平のｘ方向に１０ｃｍ変位させた。サンプルのプロフィルを取得した。サンプルは、手動ゴニオメータを用いてｚ軸から１５度の向きに再配置した。この処理が、１２回同様の要領で繰り返され、サンプルは各回ごとに１５度ずつ角度を変化させて再配置して、１２のプロフィルを得た。プロフィルは、形態学的仮想対象に準拠してＩＤＬソフトウエアを用いてサンプルの２次元画像を形成するように処理可能である。図４および図５は、代表的なｘプロフィルおよびｚプロフィルをそれぞれ示している。ｘプロフィルは、サンプルがｘ方向に向けられた状態を示しており、このときすべての管が同一のｚ座標を有しているが、ｘ座標が異なっており、管の軸線は相互に平行であるとともにｙ軸に対して平行であり、ｘ方向は磁界方向ｚに対して垂直である。ｘプロフィルは、水平面上に位置する。ｚプロフィルは、ｚ方向にサンプルが向けられた状態を示しており、この状態で、すべての管は同一のｘ座標を持つとともに異なるｚ座標を有しており、管の軸線は相互に平行であるとともにｙ軸に平行である。
【００３４】
実施例２
０．２５ｍｌの４−ヒドロキシ−ＴＥＭＰＯ（ＴＥＭＰＯ：２，２，６，６−トリメチルピペリジン−１−オキシルラジカル(2,2,6,6-tetramethyl piperidine-1-oxyl radical)）溶液を直径２ｍｍの二本の短い毛細管にとり、直径３ｍｍの空の管を直径２ｍｍの管の間に介挿し、全サンプルは、Bruker EMX 10/2.7EPR分光計に接続された誘電体共振器内に、磁界の方向ｚと並列に配置し、磁界変調を１００ｋＨｚの周波数に、振幅を４．０Ｇにそれぞれ設定した。共鳴器は、ｚ方向および上下ｙ方向には原点位置を維持しながら原点（磁石の中心）より水平のｘ方向に１０ｃｍ変位させた。サンプルのプロフィルを取得した。サンプルは、手動ゴニオメータを用いてｚ軸から１０度の向きに再配置した。この処理が、１８回同様の要領で繰り返され、サンプルは各回ごとに１０度ずつ角度を変化させて再配置して、１８のプロフィルを得た。プロフィルは、形態学的仮想対象に準拠してＩＤＬソフトウエアを用いてサンプルの３次元画像を形成するように処理可能である。仮想対象を直交して搭載した後に、前述と同様の回転手順が行われる。図６および図７は、一般的なｘ−およびｚ−プロフィルをそれぞれ示している。
【００３５】
実施例３
０．２５ｍｌの４−ヒドロキシ−ＴＥＭＰＯ溶液を直径２ｍｍの二本の毛細管にとり、直径３ｍｍの空の管を直径２ｍｍの管の間に介挿し、全サンプルは、Bruker EMX 10/2.7EPR分光計に接続された円筒共鳴器内に、磁界の方向ｚと並列に配置し、磁界変調を１００ｋＨｚの周波数に、振幅を４．０Ｇにそれぞれ設定した。共鳴器は、ｚ方向および上下ｙ方向には原点位置を維持しながら原点（磁石の中心）より水平のｘ方向に１０ｃｍ変位させた。サンプルのプロフィルを取得した。サンプルは、手動ゴニオメータを用いてｚ軸から１０度の向きに再配置した。この処理が、１８回同様の要領で繰り返され、サンプルは各回ごとに１０度ずつ角度を変化させて再配置して、１８のプロフィルを得た。プロフィルは、形態学的仮想対象に準拠してＩＤＬソフトウエアを用いてサンプルの２次元画像を形成するように処理可能である。図８および図９は、一般的なｘ−およびｚ−プロフィルをそれぞれ示している。
【００３６】
【発明の効果】
１．本発明の装置は、２乃至３の直交方向におけるマイクロ波ブリッジ／共鳴器装置の制御され、再生可能な中継をもうけて、磁界内の所望の好みの位置に共鳴器を配置することが出来る。
２．本発明によれば、自然に発生する磁界傾斜のみをＥＰＲ撮像に使用している。
３．本発明は、ＥＰＲ像を発生するための傾斜磁場コイル、傾斜増幅器およびこれに関連する冷却システムを不要としている。
４．磁界変調幅は、サンプルの線幅よりも小さく保持されている。
５．本発明によれば、１ー１０ＭＨｚの範囲の大きな線幅を持つ窒素ラジカル等のサンプルのＥＰＲ撮像が可能となる。
６．本発明の装置によれば、連続波モードばかりではなくパルスモードの動作においてもＥＳＲ撮像が可能となる。
７．本発明は、マイクロ波ブリッジ中継モジュールを付加し、傾斜磁場コイルや増幅器を設けることなしに連続波／パルスＥＰＲ分光計／撮像システムの存在下において撮像を行うことが出来る。
【図面の簡単な説明】
【図１】ＥＰＲ測定のために従来用いられていた一般的なＥＰＲ（ＥＳＲ）分光計の概略ブロック図である。
【図２】ＥＰＲ撮像に使用される傾斜増幅器によって駆動される一組の傾斜磁場コイルを含む一般的なＥＰＲ（ＥＳＲ）分光計の概略ブロック図である。
【図３】マイクロ波（ＭＷ）ブリッジ中継システムを備えた本発明のＥＰＲ撮像装置の概略ブロック図である。
【図４】実施例１の詳細であるＣｒ（Ｖ）ｈｍｂａのｘプロフィルを示す図である。
【図５】実施例１の詳細であるＣｒ（Ｖ）ｈｍｂａのｙプロフィルを示す図である。
【図６】実施例２の詳細である４−ヒドロキシ−ＴＥＭＰＯのｘプロフィルを示す図である。
【図７】実施例２の詳細である４−ヒドロキシ−ＴＥＭＰＯのｙプロフィルを示す図である。
【図８】実施例３の詳細である４−ヒドロキシ−ＴＥＭＰＯのｘプロフィルを示す図である。
【図９】実施例３の詳細である４−ヒドロキシ−ＴＥＭＰＯのｙプロフィルを示す図である。
【符号の説明】
１      マイクロ波または無線周波数における電磁放射線源
２      サーキュレータまたはマジックＴ
３      アイリス結合を含む共鳴器
４      変調器
５      マイクロ波検出器、たとえばダイオード検波器
６      位相検波器（ＰＤＳ）
７      アナログ−ディジタル変換器（ＡＤＣ）
８      コンピュータ
９      Ｎ極とＳ極を持つ磁石
１０    変調コイル
１１    マイクロ波または無線周波数における電磁放射線源
１２    サーキュレータまたはマジックＴ
１３    アイリス結合を含む共鳴器
１４    変調器
１５    マイクロ波検出器、たとえばダイオード検波器
１６    位相検波器（ＰＤＳ）
１７    アナログ−ディジタル変換器（ＡＤＣ）
１８    コンピュータ
１９    Ｎ極とＳ極を持つ磁石
２０    変調コイル
２１    傾斜増幅器
２２    傾斜磁場コイル
２３    マイクロ波または無線周波数における電磁放射線源
２４    サーキュレータまたはマジックＴ
２５    アイリス結合を含む共鳴器
２６    変調器
２７    マイクロ波検出器、たとえばダイオード検波器
２８    位相検波器（ＰＤＳ）
２９    アナログ−ディジタル変換器（ＡＤＣ）
３０    コンピュータ
３１    Ｎ極とＳ極を持つ磁石
３２    変調コイル
３３    マイクロ波ブリッジ中継モジュール
【図１】
0004343418.tif 000005
【図２】
0004343418.tif 000006
【図３】
0004343418.tif 000007
【図４】
0004343418.tif 000008
【図５】
0004343418.tif 000009
【図６】
0004343418.tif 000010
【図７】
0004343418.tif 000011
【図８】
0004343418.tif 000012
【図９】
0004343418.tif 000013